(57)【要約】      （修正有） 【課題】簡単に墨出し器の設置場所を変更できる墨出し器用保持具を提供する。【解決手段】墨出し器を保持する保持アームを備えた保持具本体に、保持具本体を支持する固定部材へ装着するため相互に平行に配置された１対の板体２２Ａ、Ｂを設け、一方の板体に他方の板体に対し回転ノブ３５の回転により接離する方向に移動可能なねじ軸３３を支持した墨出し器用保持具において、ねじ軸に螺合される雌ねじ部材を相互に接離する方向に分割された２つの部分雌ねじ体３２Ａ、Ｂにより構成し、これらの両部分雌ねじ体は、ねじ軸の回転によりねじ軸が両部分雌ねじ体に対し螺進するように構成するとともに、両部分雌ねじ体の少なくとも一方を他方に対し近接する方向にばね３４Ａ、Ｂにより付勢し、さらに、このばねによる付勢力に抗して両部分雌ねじ体をねじ軸との螺合から解除するように移動させる解除部材２８Ａ、Ｂを設けた。【選択図】図５
0003210185.tif 000002
【実用新案登録請求の範囲】
【請求項１】
墨出し器を保持する保持アームを備えた保持具本体に、この保持具本体を支持する固定部材へ装着するため相互に平行に配置された１対の板体を設け、一方の板体に他方の板体に対し回転ノブの回転により接離する方向に移動可能なねじ軸を支持した墨出し器用保持具において、
前記ねじ軸に螺合される雌ねじ部材を相互に接離する方向に分割された２つの部分雌ねじ体により構成し、これらの両部分雌ねじ体は、相互の近接位置における前記ねじ軸の回転によりこのねじ軸が両部分雌ねじ体に対し螺進するように構成するとともに、両部分雌ねじ体の少なくとも一方を他方に対し近接する方向にばねにより付勢し、さらに、このばねによる付勢力に抗して前記両部分雌ねじ体を前記ねじ軸との螺合から解除するように移動させる解除部材を設けたことを特徴とする墨出し器用保持具。
【請求項２】
前記解除部材は、押動されることにより前記一対の部分雌ねじ体をばねによる付勢力に抗して相互に離間する方向に移動するように構成されていることを特徴とする請求項１に記載の墨出し器用保持具。
【請求項３】
前記一方の板体に、直線状のガイド通路を形成し、このガイド通路内にそれぞれ１対の平行で長さの異なる辺部の各一方の端間を連結部により接続してなる１対のコ字状の枠体を両枠体の短い長さの辺部の延長上に他方の枠体の連結部が位置するように相互に組み合わせて前記ガイド通路に沿って移動可能に配置し、各枠体の短い長さの辺部と連結部の隅部に、前記ねじ軸に内周方向の一部において螺合する部分雌ねじ体を設け、前記一方の枠体の長い長さの辺部と他方の枠体の長さの短い辺部との間に圧縮コイルばねを介装したことを特徴とする請求項１または請求項２に記載の墨出し器用保持具。
【考案の詳細な説明】
【技術分野】
【０００１】
本考案は、建築現場などで墨出し用のためにレーザー光を照射する墨出し器を保持する墨出し器用保持具に関する。
【背景技術】
【０００２】
このような墨出し器は、建築現場などで垂直、水平などの墨出しを行うために用いられるが、このためには、墨出し器を安定的に保持する必要がある。
【０００３】
このための墨出し器用保持具の従来のものとしては、保持具にクランプを設け、このクランプを用いて墨出し器を建築現場等の必要な箇所に固定するようにしていた（特許文献１参照）。
【先行技術文献】
【特許文献】
【０００４】
【特許文献１】特開２００４−３４７５１８号公報
【考案の概要】
【考案が解決しようとする課題】
【０００５】
しかしながら、前述した特許文献１の墨出し器用保持具によれば、墨出し器を使用する場所を変更するためには、いちいち保持具に設けられているクランプを緩めなければならず、手間が掛かっていた。
【０００６】
本考案は、このような従来のものにおける問題点を克服し、簡単に墨出し器の設置場所を変更することのできる墨出し器用保持具を提供することを目的としている。
【課題を解決するための手段】
【０００７】
前述した課題を解決するために、請求項１に係る本考案の墨出し器用保持具は、墨出し器を保持する保持アームを備えた保持具本体に、この保持具本体を支持する固定部材へ装着するため相互に平行に配置された１対の板体を設け、一方の板体に他方の板体に対し回転ノブの回転により接離する方向に移動可能なねじ軸を支持した墨出し器用保持具において、前記ねじ軸に螺合される雌ねじ部材を相互に接離する方向に分割された２つの部分雌ねじ体により構成し、これらの両部分雌ねじ体は、相互の近接位置における前記ねじ軸の回転によりこのねじ軸が両部分雌ねじ体に対し螺進するように構成するとともに、両部分雌ねじ体の少なくとも一方を他方に対し近接する方向にばねにより付勢し、さらに、このばねによる付勢力に抗して前記両部分雌ねじ体を前記ねじ軸との螺合から解除するように移動させる解除部材を設けたものである。
【０００８】
そして、このような構成を採用したことにより、解除部材を動作させることにより瞬間的にねじ軸に対する両部分雌ねじ体の螺合を解除することができるので、墨出し器用保持具を簡単に別の場所に移動させて墨出し器を再設置することができる。
【０００９】
請求項２に係る本考案の墨出し器用保持具は、請求項１において、前記解除部材は、押動されることにより前記一対の部分雌ねじ体をばねによる付勢力に抗して相互に離間する方向に移動するように構成されているものである。
【００１０】
そして、このような構成を採用したことにより、解除部材を押動することにより瞬間的にねじ軸に対する両部分雌ねじ体の螺合を解除することができる。
【００１１】
請求項３に係る本考案の墨出し器用保持具は、請求項１または請求項２において、前記一方の板体に、直線状のガイド通路を形成し、このガイド通路内にそれぞれ１対の平行で長さの異なる辺部の各一方の端間を連結部により接続してなる１対のコ字状の枠体を両枠体の短い長さの辺部の延長上に他方の枠体の連結部が位置するように相互に組み合わせて前記ガイド通路に沿って移動可能に配置し、各枠体の短い長さの辺部と連結部の隅部に、前記ねじ軸に内周方向の一部において螺合する部分雌ねじ体を設け、前記一方の枠体の長い長さの辺部と他方の枠体の長さの短い辺部との間に圧縮コイルばねを介装したものである。
【００１２】
そして、このような構成を採用したことにより、解除部材たる１対の枠体を圧縮コイルばねに抗して押動することにより、両枠体がガイド通路に沿って移動して瞬間的にねじ軸に対する両部分ねじ体の螺合を解除することができる。
【考案の効果】
【００１３】
本考案の墨出し器用保持具によれば、普通のクランプのように手動によりねじを緩めることなく、解除部材を動作させることにより瞬間的にねじ軸に対する両部分雌ねじ体の螺合を解除することができるので、墨出し器用保持具を簡単に別の場所に移動させて墨出し器を再設置することができる。
【図面の簡単な説明】
【００１４】
【図１】本考案に係る墨出し器用保持具の実施形態を示す前方斜め上方からの斜視図
【図２】図１と方向を異にした後方の斜め上方からの斜視図
【図３】図１および図２の実施形態における墨出し器を保持する状態を示す斜視図
【図４】（Ａ）は図１ないし図３の実施形態における両枠体の部分雌ねじ体がねじ軸に螺合している状態を示す一部を破線で示した斜視図、（Ｂ）は（Ａ）の要部のみの斜視図
【図５】（Ａ）は図１ないし図３の実施形態における両枠体の部分雌ねじ体が枠体の押動によりねじ軸との螺合を解除された状態を示す一部を想像線で示した斜視図、（Ｂ）は（Ａ）の要部のみの斜視図
【考案を実施するための形態】
【００１５】
本考案の墨出し器用保持具１０は、図１ないし図３に示すように、建築現場などで墨出し用のためにレーザー光を照射する墨出し器１を保持する保持具である。
【００１６】
この保持具１０は、一部の特殊な部材を除き、全体をほぼ金属製の部品により形成されている。そして、この保持具１０は、上部軸受部材１１と下部軸受部材１２とにそれぞれ各１対のねじ１３，１３により接続されている左右１対の支柱１４Ａ，１４Ｂを有している。
【００１７】
前記両支柱１４Ａ，１４Ｂ間には、背板１５が両支柱１４Ａ，１４Ｂと一体に形成されている。また、前記両軸受部材１１，１２には、鉛直方向に延在するねじ軸１６が両支柱１４Ａ，１４Ｂ間に配設されている。このねじ軸１６には、このねじ軸１６の回転に伴って上下動しうる駒部材１７が螺合されており、この駒部材１７には、前方に突出する保持アーム１８が１対のねじ１３，１３により固着されている。前記保持アーム１８の先端部には円形孔１９が形成されており、この円形孔１９内に墨出し器１の底部に設けられている被保持軸２が嵌合され、この被保持軸２は、ノブ２０の回転によりねじ止めされるようになっている。
【００１８】
前記ねじ軸１６の下端部には、図示しない従動歯車がねじ軸１６と一体に回転しうるように嵌合されており、この従動歯車には、駆動歯車（図示せず）が噛合されている。この駆動歯車の支軸には、駆動歯車と一体回転しうる回転ノブ２１がねじ（図示せず）により装着されている。そして、この回転ノブ２１を摘んで左右いずれかの方向に回転させると、従動歯車の回転を介してねじ軸１６が回転され、駒部材１７ならびに保持アーム１８が上下動される。これにより、墨出し器１の上下方向の位置調整を行うことができる。
【００１９】
前記両支柱１４Ａ，１４Ｂには、それぞれ板体２２Ａ，２２Ｂが後方あるいは側方に延在するように連設されている。これらのうち板体２２Ａは、後方に延在するように連設されており、その先端には、１対のねじ孔２６，２６を挿通して固定されるねじ（図示せず）を介して図示しない固定部材に固定される屈曲部２５Ａが連設されている。
【００２０】
一方、前記板体２２Ｂは、側方に延在する中間板体２３を介して前記板体２２Ａと平行な主板体２４を有しており、この主板体２４の先端には、１対のねじ孔２６，２６を挿通して固定されるねじ（図示せず）を介して図示しない固定部材に固定される屈曲部２５Ｂが連設されている。
【００２１】
前記板体２２Ｂの主板体２４には、図４および図５に示すように、上下方向に延在するガイド通路２７が形成されており、このガイド通路２７内には、１対のコ字状の枠体２８Ａ，２８Ｂが、収納されている。前記一方の枠体２８Ａは、１対の平行で長さの異なる辺部２９Ａ，３０Ａを有しており、これらの両辺部２９Ａ，３０Ａの各一方の端間を連結部３１Ａにより接続して構成されている。また、他方の枠体２８Ｂは、１対の平行で長さの異なる辺部２９Ｂ，３０Ｂを有しており、これらの両辺部２９Ｂ，３０Ｂの各一方の端間を連結部３１Ｂにより接続して構成されている。
【００２２】
そして、前記両枠体２８Ａ，２８Ｂの短い長さの辺部２９Ａ，２９Ｂの延長上に他方の枠体２８Ｂ，２８Ａの連結部３１Ｂ，３１Ａが位置するように両枠体２８Ａ，２８Ｂを相互に組み合わせるようにして前記両枠体２８Ａ，２８Ｂが前記ガイド通路２７に沿って移動可能に配置されている。また、前記各枠体２８Ａ，２８Ｂの短い長さの辺部２９Ａ，２９Ｂと連結部３１Ａ，３１Ｂの隅部には、クランプを構成し、前記ガイド通路２７を直交する方向に貫通するねじ軸３３に内周方向の一部において螺合しうる部分雌ねじ体３２Ａ，３２Ｂがそれぞれ一体に形成されている。
【００２３】
前記一方の枠体２８Ａの短い長さの辺部２９Ａと，他方の枠体２８Ｂの長い長さの辺部３０Ｂとの間には、圧縮コイルばね３４Ａが介装されている。同様に、前記一方の枠体２８Ｂの短い長さの辺部２９Ｂと，他方の枠体２８Ａの長い長さの辺部３０Ａとの間には、同様に圧縮コイルばね３４Ｂが介装されている。
【００２４】
そして、前記両圧縮コイルばね３４Ａ，３４Ｂに付勢されて前記ねじ軸３３に両部分雌ねじ体３２Ａ，３２Ｂが螺合している状態においては、両枠体２８Ａ，２８Ｂは前記ガイド通路２７の上端および下端から多少突出している。
【００２５】
前記ねじ軸３３の外端部には回転ノブ３５が突設されており、また、前記ねじ軸３３の内端部には、前記板体２２Ａの内側面に圧接する円板３６が球面継手（図示せず）を介して内側面の表面に沿うようにして突設されている。また、前記板体２２Ａの内側面には、ゴム板３７が張設されており、円板３６の圧接性を良好ならしめている。
【００２６】
また、前記ガイド通路２７が形成されている主板体２４の内側面には、露出しているガイド通路２７を遮蔽する遮蔽板３８が設けられている。
【００２７】
つぎに、前述した実施形態の作用について説明する。
【００２８】
墨出し器１は、保持アーム１８の先端部に形成されている円形孔１９内に墨出し器１の底部に設けられている被保持軸２が嵌合され、この被保持軸２が、ノブ２０の回転によりねじ止めされることにより保持アーム１８に保持される。
【００２９】
このようにして墨出し器１を保持具１０に保持させた状態において、クランプをなすねじ軸３３の先端の円板３６と板体２２Ａの表面のゴム板３７との間にこの保持具１０を固定する図示しない固定部材を介在させ、回転ノブ３５をねじ込んでこの固定部材を挟持する。そこで、この固定された墨出し器１を用いて所定の墨出し作業を行う。
【００３０】
その後、また墨出し器１の場所を変えて墨出し作業を行うためには、板体２２Ｂの主板体２４の上下端から突出している解除部材たる両枠体２８Ａ，２８Ｂの端部を圧縮コイルばね３４Ａ，３４Ｂの弾性力に抗して押し込む。すると、両枠体２８Ａ，２８Ｂがガイド通路２７内に押し込まれて両枠体２８Ａ，２８Ｂに形成されている両部分雌ねじ体３２Ａ，３２Ｂがねじ軸３３との螺合を解除される。したがって、ねじ軸３３は、図５Ｂに矢印で示すように、自由にその軸方向へ移動できる状態になるので、前述した固定部材から保持具１０を容易に外すことができ、つぎの作業場所への墨出し器１の移動ならびに設置を容易に行うことができる。
【００３１】
このように本実施形態によれば、墨出し器１を簡単に移動させて作業を行うことができる。
【符号の説明】
【００３２】
１  墨出し器
１０  保持具
１１  上部軸受部材
１２  下部軸受部材
１４Ａ，１４Ｂ  支柱  
１６  ねじ軸
１７  駒部材
１８  保持アーム
２２Ａ，２２Ｂ  板体
２４  主板体
２７  ガイド通路
２８Ａ，２８Ｂ  枠体
２９Ａ，２９Ｂ  （短い長さの）辺部
３０Ａ，３０Ｂ  （長い長さの）辺部
３１Ａ，３１Ｂ  連結部
３２Ａ，３２Ｂ  部分雌ねじ体
３３  ねじ軸
【図１】
0003210185.tif 000003
【図２】
0003210185.tif 000004
【図３】
0003210185.tif 000005
【図４】
0003210185.tif 000006
【図５】
0003210185.tif 000007